【手続補正書】
【提出日】平成18年1月16日(2006.1.16)
【手続補正１】
【補正対象書類名】明細書
【補正対象項目名】特許請求の範囲
【補正方法】変更
【補正の内容】
【特許請求の範囲】
【請求項１】
電動機、発電機、再生電動機からなる装置グループから選択した装置であって、前記装置は少なくとも１つのステータ配置を含み、該ステータ配置は複数の独立した付勢可能な電磁集成体から成り、個々の各独立した電磁集成体が薄膜軟質磁性材料から形成された付随の一体形磁心を含んでおり、各独立した電磁集成体は前記一体形磁心の両端に位置する２つのステータ磁極を限定し、各々の一体形磁心が各独立した電磁集成体に対応した２つの相対向する向きのステータ磁極に対する全磁気戻り経路を提供することを特徴とする装置。
【請求項２】
前記各々の一体形磁心はＵ字形であり、ステータ磁極がＵ字形磁心の脚部の端に位置することを特徴とする請求項１に記載の装置。
【請求項３】
前記各独立した電磁集成体は、個別に取り外し可能で交換可能であることを特徴とする請求項１に記載の装置。
【請求項４】
前記装置は、回転装置であり、或る通常動作回転速度範囲で所与の回転軸線周囲に回転できるように支持されたロータ配置を含み、前記ロータ配置は、ステータ磁極と磁気的に相互作用する複数のロータ磁極を含み、該ロータ磁極が、円形経路に沿って回転軸線周囲に回転できるように支持されていることを特徴とする請求項１に記載の装置。
【請求項５】
前記装置は、電動機、発電機、再生電動機からなる装置グループから選択された装置で用いるためのステータ配置であって、該装置は少なくとも１つのステータ配置を含み、ステータ配置が複数の独立した付勢可能な電磁集成体を含み、各々の独立した電磁集成体は薄膜軟質磁性材料で形成された付随の一体形磁心を含み、各独立した電磁集成体は一体形磁心の両端に位置する２つのステータ磁極を限定しており、各一体形磁心は各独立した電磁集成体に対応する２つの相対向する向きのステータ磁極に対する全磁気戻り経路を提供することを特徴とするステータ配置。
【請求項６】
電動機、発電機、再生電動機からなる装置グループから選択された装置を製造する方法であって、前記方法が、
複数の独立した付勢可能な電磁集成体を提供し、各独立した電磁集成体が薄膜軟質磁性材料で形成された付随の一体形磁心を含み、各独立した電磁集成体が一体形磁心の両端に位置する２つのステータ磁極を限定する工程と、
各一体形磁心が各独立した電磁集成体に対応した２つの相対向する向きのステータ磁極に対する全磁気戻り経路を提供するというような方法で、独立した電磁集成体を少なくとも１つのステータ配置に組み立てる工程と、
から成ることを特徴とする方法。
【請求項７】
前記各々の一体形磁心はＵ字形であり、前記ステータ磁極はＵ字形磁心の脚部の端に位置することを特徴とする請求項６に記載の方法。
【請求項８】
前記独立した電磁集成体の各々は、個別に取り外し可能で交換可能であることを特徴とする請求項６に記載の方法。
【請求項９】
前記装置は回転装置であり、通常動作回転速度の或る範囲で所与の回転軸線周囲に回転できるように支持されたロータ配置を組み立てる工程を含み、前記ロータ配置はステータ磁極と磁気的に相互作用する複数のロータ磁極を含み、前記ロータ磁極は円形経路に沿って回転軸線周囲に回転できるように支持されていることを特徴とする請求項６に記載の方法。
【請求項１０】
電動機、発電機、再生電動機からなる装置グループから選択された装置であって、前記装置は、
複数の電磁集成体を有しており、各電磁集成体は薄膜軟質磁性材料から形成された磁心の少なくとも一部を含み、該電磁集成体は複数のステータ磁極を限定している、というようになる少なくとも１つのステータ配置と
或る通常動作回転速度範囲で所与の回転軸線周囲を回転するように支持され、ステータ磁極と磁気的に相互作用する複数のロータ磁極を含み、前記ロータ磁極が円形経路に沿って回転軸線周囲を回転するように支持されている、というようになる少なくとも１つのロータ配置と、
前記電磁集成体を制御するためのスイッチング配置と、から成り、
前記スイッチング配置は、電磁集成体のステータ磁極を或る周波数範囲内でロータ配置のロータ磁極と磁気的に相互作用するようにさせることができるように構成されており、ロータ磁極の数は、スイッチング配置が電磁集成体のステータ磁極をロータ配置のロータ磁極と磁気的に相互作用するようにさせ、装置の毎分回転数に対する装置の毎秒サイクルの周波数の比率が、装置の動作中、１対４以上になる、というように選ばれることを特徴とする装置。
【請求項１１】
前記装置は半径方向空所装置であることを特徴とする請求項１または請求項１０に記載の装置。
【請求項１２】
前記薄膜軟質磁性材料がナノ結晶材料であることを特徴とする請求項１または請求項１０に記載の装置。
【請求項１３】
前記装置は、切り換え式磁気抵抗装置、磁気誘導装置、永久磁石装置からなる装置グループから選択される装置であることを特徴とする請求項１または請求項１０に記載の装置。
【請求項１４】
前記装置は多相装置であることを特徴とする請求項１または請求項１０に記載の装置。
【請求項１５】
前記装置は半径方向空所装置であり、
前記電磁集成体は独立したＵ字形一体形磁心を含み、各々の個々独立した電磁集成体が一体形磁心の両端に位置する２つのステータ磁極を限定し、各々の一体形磁心が各独立した電磁集成体に対応する２つの相対向する向きのステータ磁極に対し全磁気戻り経路を提供し、該電磁集成体はロータ磁極の円形経路周囲に設置されており、各電磁集成体は、その２つのステータ磁極が互いに隣接して装置の回転軸線に対して平行であるラインに沿って互いに整列して位置するように設置されていることを特徴とする請求項４または請求項１０に記載の装置。
【請求項１６】
前記ロータ磁極は、相対向する向きの磁極性のロータ磁極を形成するように構成された隣接する対の永久磁石セグメントで形成される対のロータ磁極であり、各対の永久磁石セグメントは、２つの永久磁石セグメントが、互いに隣接して装置の回転軸線に対して平行であるラインに沿って互いに整列して位置するように配置されており、２つの永久磁石セグメントは、ロータが装置の回転軸線周囲に回転したときに、装置の回転軸線周囲に２つの隣接する円形経路を限定するようになっており、該２つの隣接した円形経路の各々が各電磁集成体のステータ磁極の対応した１つと対面していることを特徴とする請求項１５に記載の装置。
【請求項１７】
電動機、発電機、再生電動機からなる装置グループから選択された装置を作動させる方法であって、前記方法が、
複数の電磁集成体を有する少なくとも１つのステータ配置を提供し、各電磁集成体が薄膜軟質磁性材料から形成された磁心の少なくとも一部を含み、電磁集成体が複数のステータ磁極を限定する工程と、
少なくとも１つのロータ配置を提供し、或る通常作動回転速度範囲で所与の回転軸線周囲を回転できるようにロータを支持し、ロータ配置がステータ磁極と磁気的に相互作用する複数のロータ磁極を含み、ロータ磁極が円形経路に沿って回転軸線周囲で回転できるように支持する工程と、
電磁集成体を制御するためにスイッチング配置を使用して、或る周波数範囲内でロータ配置のロータ磁極と磁気的に相互作用するように電磁集成体のステータ磁極を切り換える工程と、から成り、
ロータ磁極の数は、電磁集成体のステータ磁極がロータ配置のロータ磁極と磁気的に相互作用するように選ばれ、装置の毎分回転数に対する装置の毎秒サイクルの周波数の比率が、装置の動作中、１対４以上になる、というように選ばれることを特徴とする方法。
【請求項１８】
前記装置は半径方向空所装置であることを特徴とする請求項６または請求項１７に記載の方法。
【請求項１９】
前記薄膜軟質磁性材料はナノ結晶材料であることを特徴とする請求項６または請求項１７に記載の方法。
【請求項２０】
前記装置は、切り換え式磁気抵抗装置、磁気誘導装置、永久磁石装置からなる装置グループから選択された装置であることを特徴とする請求項６または請求項１７に記載の方法。
【請求項２１】
前記装置は多相装置であることを特徴とする請求項６または請求項１７に記載の装置。
【請求項２２】
前記装置は半径方向空所装置であり、
前記電磁集成体が独立したＵ字形一体形磁心を含み、各独立した電磁集成体が一体形磁心の両端に位置する２つのステータ磁極を限定しており、各一体形磁心が各独立した電磁集成体に対応する２つの相対向する向きのステータ磁極に対する全磁気戻り経路を提供し、電磁集成体がロータ磁極の円形経路周囲に設置さており、各電磁集成体は、その２つのステータ磁極が互いに隣接して装置の回転軸線に対して平行であるラインに沿って互いに整列して位置するように設置されていることを特徴とする請求項９または請求項１７に記載の方法。
【請求項２３】
前記ロータ磁極は、相対向する向きの磁極性のロータ磁極を形成するように構成された隣接する対の永久磁石セグメントで形成される対のロータ磁極であり、各対の永久磁石セグメントは、２つの永久磁石セグメントが、互いに隣接して装置の回転軸線に対して平行であるラインに沿って互いに整列して位置するように位置決めされ、２つの永久磁石セグメントは、ロータが装置の回転軸線周囲を回転したときに、装置の回転軸線周囲に２つの隣接する円形経路を限定するようになっており、２つの隣接した円形経路の各々が各電磁集成体のステータ磁極の対応した１つと対面していることを特徴とする請求項２２に記載の方法。